(57)【要約】【課題】設定を変更する際には他のジョブが印刷を行なっていない状態を保証し、印刷中であるために設定を変更することができない事態を回避することが可能な画像形成装置を提供する。【解決手段】印刷ジョブをスプールする機能を有するジョブスプール部１０３と、ＷＷＷサーバー機能を有するＷＷＷサーバー部１０１を備え、ＷＷＷブラウザから各種設定を行なうことが可能な画像形成装置において、ＷＷＷブラウザから設定要求が送信されたとき、設定要求をジョブ化する機能を有する設定ジョブ作成部１０２と、ジョブ化した設定要求をジョブスプール部１０３に追加する機能を有する制御部１０６とを備えた。【選択図】      図１
2004276542.tif 000002
【特許請求の範囲】
【請求項１】
印刷ジョブをスプールする機能を有するジョブスプール部と、ＷＷＷサーバー機能を有するＷＷＷサーバー部を備え、ＷＷＷブラウザから各種設定を行なうことが可能な画像形成装置において、ＷＷＷブラウザから設定要求が送信されたとき、設定要求をジョブ化する機能を有する設定ジョブ作成部と、ジョブ化した設定要求をジョブスプール部に追加する機能を有する制御部と、を備えたことを特徴とする画像形成装置。
【請求項２】
請求項１の画像形成装置において、ジョブスプール部内の設定ジョブの処理順序を変更することが可能であることを特徴とする画像形成装置。
【請求項３】
請求項１の画像形成装置において、ジョブスプール部内の設定ジョブを削除することが可能であることを特徴とする画像形成装置。
【請求項４】
請求項１の画像形成装置において、設定ジョブの設定情報をＷＷＷブラウザから閲覧可能であることを特徴とする画像形成装置。
【請求項５】
請求項４の画像形成装置において、設定履歴を基に再設定可能であることを特徴とする画像形成装置。
【請求項６】
請求項４の画像形成装置において、設定履歴を基に以前の設定内容に戻すことが可能であることを特徴とする画像形成装置。
【発明の詳細な説明】
【０００１】
【発明の属する技術分野】
本発明は、印刷ジョブをスプールする機能と、ＷＷＷサーバー機能を有し、ＷＷＷブラウザから各種設定を行なうことが可能な複写機、プリンタ等の画像形成装置に関する。
【０００２】
【従来の技術】
ＷＷＷサーバー機能を有し、クライアントのＷＷＷブラウザから各種設定を行なうことが可能な画像形成装置においては、ＷＷＷブラウザからの設定要求は画像形成装置の状態にかかわらず送信可能である。
【０００３】
【発明が解決しようとする課題】
ところが、画像形成装置において何らかの印刷ジョブの印刷を行なっている状態では設定を変更することが不可能な場合がある。このとき設定要求の一部または全ての設定に失敗することになってしまい、その結果ＷＷＷブラウザから再度設定要求を送信する必要が生じる。
本発明は、設定を変更する際には他のジョブが印刷を行なっていない状態を保証し、印刷中であるために設定を変更することができない事態を回避することが可能な画像形成装置を提供することを目的とする。
【０００４】
【課題を解決するための手段】
上記目的を達成するために、請求項１記載の発明は、印刷ジョブをスプールする機能を有するジョブスプール部と、ＷＷＷサーバー機能を有するＷＷＷサーバー部を備え、ＷＷＷブラウザから各種設定を行なうことが可能な画像形成装置において、ＷＷＷブラウザから設定要求が送信されたとき、設定要求をジョブ化する機能を有する設定ジョブ作成部と、ジョブ化した設定要求をジョブスプール部に追加する機能を有する制御部とを備えた画像形成装置を最も主要な特徴とする。
請求項２記載の発明は、請求項１の画像形成装置において、ジョブスプール部内の設定ジョブの処理順序を変更することが可能である画像形成装置を主要な特徴とする。
請求項３記載の発明は、請求項１の画像形成装置において、ジョブスプール部内の設定ジョブを削除することが可能である画像形成装置を主要な特徴とする。
請求項４記載の発明は、請求項１の画像形成装置において、設定ジョブの設定情報をＷＷＷブラウザから閲覧可能である画像形成装置を主要な特徴とする。
請求項５記載の発明は、請求項４の画像形成装置において、設定履歴を基に再設定可能である画像形成装置を主要な特徴とする。
請求項６記載の発明は、請求項４の画像形成装置において、設定履歴を基に以前の設定内容に戻すことが可能である画像形成装置を主要な特徴とする。
【０００５】
【発明の実施の形態】
以下、本発明の実施の形態を図面に従って説明する。
図１は本発明の第１の実施の形態に係るプリンタの機能ブロック図、図２は第１のＷＷＷブラウザ画面例を示す図、図３は本発明の第１の制御例を示すフローチャートである。
図１に示すプリンタ１００は、ＷＷＷサーバー部１０１、設定ジョブ作成部１０２、ジョブスプール部１０３、ネットワークインターフェース部１０４、ＲＯＭ１０５、ＣＰＵ１０６（制御部）、メモリ１０７、画像形成部１０８を備えている。
図３のフローにおいて、ＷＷＷブラウザで設定したい内容に設定項目を修正し（Ｓ１）、「設定」ボタンを押すと（Ｓ２）、設定要求がＷＷＷブラウザからプリンタ１００に送信される。プリンタ１００はＷＷＷサーバー部１０１で設定要求を受信し（Ｓ３）、設定ジョブ作成部１０２で設定内容に従って設定ジョブを作成する（Ｓ４）。作成した当該設定ジョブをジョブスプール部１０３の最後に追加する（Ｓ５）。
図４（ａ）〜（ｃ）は第２のＷＷＷブラウザ画面例を示す図、図５は本発明の第２の制御例を示すフローチャートである。図５のフローにおいて、ＷＷＷブラウザで変更したい設定ジョブ（例えば、図４（ａ）で印刷ジョブ３０１）を選択し（Ｓ１）、上矢印ボタンまたは下矢印ボタンを押すと（Ｓ２）、移動要求がＷＷＷブラウザからプリンタ１００に送信される。プリンタ１００はＷＷＷサーバー部１０１で移動要求を受信し（Ｓ３）、上矢印ボタンが押された場合は（Ｓ４で“はい”）ジョブスプール部１０３内の設定ジョブ３０１の処理順序である表示位置を上側に１つ移動させ、図４（ｂ）に示すように印刷ジョブ２０４の次に印刷ジョブ３０１を表示する（Ｓ５）。一方、下矢印ボタンが押された場合は（Ｓ４で“いいえ”）ジョブスプール部１０３内の設定ジョブ３０１の処理順序である表示位置を下側に１つ移動させ、図４（ｃ）に示すように印刷ジョブ３０２の次に印刷ジョブ３０１を表示する（Ｓ６）。最後に、一覧画面情報をＷＷＷサーバー部１０１よりＷＷＷブラウザに返す（Ｓ７）。
図６は本発明の第３の制御例を示すフローチャートであり、図４に示した第２のＷＷＷブラウザ画面例と併せて説明する。図６のフローにおいて、ＷＷＷブラウザで削除したい印刷ジョブ（例えば、印刷ジョブ３０１）を選択すると（Ｓ１）ＷＷＷブラウザ画面は図４（ａ）のように選択された印刷ジョブを強調表示し、「削除」ボタンを押すと（Ｓ２）、削除要求がＷＷＷブラウザからプリンタ１００に送信される。プリンタ１００はＷＷＷサーバー部１０１で削除要求を受信し（Ｓ３）、ジョブスプール部１０３内の設定ジョブ３０１を削除する（Ｓ４）。
【０００６】
図７は本発明の第２の実施の形態に係るプリンタの機能ブロック図、図８、図９は第３、第４のＷＷＷブラウザ画面例を示す図、図１０（１）、（２）は本発明の第４の制御例を示すフローチャートである。
図７に示すプリンタ１００は、ＷＷＷサーバー部１０１、設定ジョブ作成部１０２、ジョブスプール部１０３、ネットワークインターフェース部１０４、ＲＯＭ１０５、ＣＰＵ１０６、メモリ１０７、画像形成部１０８、履歴情報格納部１０９を備えている。
図１０（１）のフローにおいて、プリンタ１００は、ジョブスプール部１０３の先頭の設定ジョブ（図８の例では設定ジョブ３０１）を取り出し（Ｓ１）、現在の設定情報をメモリ１０７に一時保存する（Ｓ２）。次に設定ジョブ３０１の設定内容に従って設定を変更する（Ｓ３）。メモリ１０７に保存されている旧設定情報（現在の設定情報）と新しい設定情報（設定ジョブ３０１の設定情報）を履歴情報格納部１０９に保存する（Ｓ４）。
図１０（２）のフローにおいて、ＷＷＷブラウザで設定履歴画面から設定内容を確認したい設定ジョブ（図８の例では設定ジョブ３０５）を選択し（Ｓ５）、「内容確認」ボタンを押すと（Ｓ６）、内容確認要求がＷＷＷブラウザからプリンタ１００に送信される。プリンタ１００はＷＷＷサーバー部１０１で内容確認要求を受信し（Ｓ７）、履歴情報格納部１０９から図９に示すように設定ジョブ３０５の設定時期及び設定内容を含む設定情報を取り出し（Ｓ８）、設定ジョブ３０５の設定内容をＷＷＷサーバー部１０１よりＷＷＷブラウザに返す（Ｓ９）。
【０００７】
図１１は本発明の第５の制御例を示すフローチャートであり、図２、図９に示した第１及び第４のＷＷＷブラウザ画面例と併せて説明する。図１１のフローにおいて、ＷＷＷブラウザで設定ジョブ（図９の例では設定ジョブ３０５）の内容確認画面から「再設定」ボタンを押すと（Ｓ１）、再設定要求がＷＷＷブラウザからプリンタ１００に送信される。プリンタ１００はＷＷＷサーバー部１０１で再設定要求を受信し（Ｓ２）、履歴情報格納部１０９から設定ジョブ３０５の設定情報を取り出し（Ｓ３）、設定ジョブ３０５の新しい設定内容を初期値とした設定変更画面情報をＷＷＷサーバー部１０１よりＷＷＷブラウザに返し（Ｓ４）、ＷＷＷブラウザでは図２に示す画面が表示される。
図１２は本発明の第６の制御例を示すフローチャートであり、図９に示した第４のＷＷＷブラウザ画面例と併せて説明する。図１２のフローにおいて、ＷＷＷブラウザで設定ジョブ（図９の例では設定ジョブ３０５）の内容確認画面から「戻す」ボタンを押すと（Ｓ１）、復元要求がＷＷＷブラウザからプリンタ１００に送信される。プリンタ１００はＷＷＷサーバー部１０１で復元要求を受信し（Ｓ２）、履歴情報格納部１０９から設定ジョブ３０５の設定情報を取り出し（Ｓ３）、設定ジョブ作成部１０２において設定ジョブ３０５により設定変更される前の旧設定内容に戻す設定ジョブを作成し（Ｓ４）、ジョブスプール部１０３に追加する（Ｓ５）。
【０００８】
【発明の効果】
請求項１記載の発明によれば、印刷ジョブをスプールする機能とＷＷＷサーバー機能を有し、ＷＷＷブラウザから各種設定を行なうことが可能な画像形成装置において、ＷＷＷブラウザから設定要求が送信されたとき、当該画像形成装置は設定要求をジョブ化し、スプールに追加することで、設定を変更する際には他のジョブが印刷を行なっていない状態を保証し、印刷中であるために設定を変更することができない事態を回避することが可能となる。
請求項２記載の発明によれば、スプール内の設定ジョブの処理順序を変更することが可能なので、設定を変更する時期を自由に指定することができる。
請求項３記載の発明によれば、スプール内の設定ジョブを削除することが可能なので、ＷＷＷブラウザから設定要求を送信してしまった後でも、スプール内で待機している設定ジョブを取り消すことができる。
請求項４記載の発明によれば、設定ジョブの設定情報をＷＷＷブラウザから閲覧可能なので、ＷＷＷブラウザから送信された設定要求が、どの時期にどのような設定内容で設定されたか後から確認することができる。
請求項５記載の発明によれば、設定履歴を基に再設定可能なので、設定履歴の設定内容の一部だけを修正して設定し直すことが容易になる。
請求項６記載の発明によれば、設定履歴を基に以前の設定内容に戻すことが可能なので、すべての設定内容を設定することなく、以前の設定内容に設定し直すことが容易になる。
【図面の簡単な説明】
【図１】本発明の第１の実施の形態に係るプリンタの機能ブロック図である。
【図２】第１のＷＷＷブラウザ画面例を示す図である。
【図３】本発明の第１の制御例を示すフローチャートである。
【図４】第２のＷＷＷブラウザ画面例を示す図である。
【図５】本発明の第２の制御例を示すフローチャートである。
【図６】本発明の第３の制御例を示すフローチャートである。
【図７】本発明の第２の実施の形態に係るプリンタの機能ブロック図である。
【図８】第３のＷＷＷブラウザ画面例を示す図である。
【図９】第４のＷＷＷブラウザ画面例を示す図である。
【図１０】本発明の第４の制御例を示すフローチャートである。
【図１１】本発明の第５の制御例を示すフローチャートである。
【図１２】本発明の第６の制御例を示すフローチャートである。
【符号の説明】
１００  プリンタ
１０１  ＷＷＷサーバー部
１０２  設定ジョブ作成部
１０３  ジョブスプール部
１０６  ＣＰＵ（制御部）
【図１】
2004276542.tif 000003
【図２】
2004276542.tif 000004
【図３】
2004276542.tif 000005
【図４】
2004276542.tif 000006
【図５】
2004276542.tif 000007
【図６】
2004276542.tif 000008
【図７】
2004276542.tif 000009
【図８】
2004276542.tif 000010
【図９】
2004276542.tif 000011
【図１０】
2004276542.tif 000012
【図１１】
2004276542.tif 000013
【図１２】
2004276542.tif 000014